【事件の表示】
　特願２００６−５０１２２０「通信システムにおけるソース・デバイス同期化のための方法および装置」拒絶査定不服審判事件〔平成１６年　９月２３日国際公開、ＷＯ２００４／０８２３０４、平成１８年　９月１４日国内公表、特表２００６−５２１０３６〕について、次のとおり審決する。
【結　論】
　本件審判の請求は、成り立たない。
【理　由】
第１　手続の経緯
　本願は、２００４年３月４日（パリ条約による優先権主張外国庁受理２００３年３月１１日、米国）を国際出願日とする出願であって、平成２０年７月２２日付け拒絶理由通知に対して、同年１０月２０日付けで手続補正がされたが、同年１２月４日付けで拒絶査定がなされ、これに対し、平成２１年３月９日に拒絶査定不服の審判が請求されるとともに、同日付けで手続補正がされたものである。
　
第２　補正却下の決定
［補正却下の決定の結論］
　　平成２１年３月９日付けの手続補正を却下する。
　
［理由］
１．本願発明と補正後の発明
　上記手続補正（以下、「本件補正」という。）は補正前の特許請求の範囲の請求項１に記載された
　
　「複数の信号ソースを活動化する工程と、
　該複数の信号ソースに同期化イベントを伝送し、該同期化イベントに応答して該複数の信号ソースにデータを同時に伝送させる工程と、からなる通信方法。」
　
という発明（以下、「本願発明」という。）を、
　
　「各信号ソースは他の信号ソースと物理的および電気的に分離されている、複数の信号ソースを活動化する工程と、
　該複数の信号ソースに同期化イベントを伝送し、該同期化イベントに応答して、該複数の信号ソースに同じ変調法を用いてデータを同時に伝送させる工程と、
　該複数の信号ソースから伝送されたデータを復号する工程と、
からなる通信方法。」
　
という発明（以下、「補正後の発明」という。）に変更することを含むものである。
　
２．新規事項の有無、補正の目的要件について
　本件補正は、願書に最初に添付した明細書、特許請求の範囲又は図面に記載した事項の範囲内において、補正前の特許請求の範囲の請求項１に記載された、「複数の信号ソース」に関し、「各信号ソースは他の信号ソースと物理的および電気的に分離されている」と限定を付加し、また、「データを同時に伝送させる」に関し、「同じ変調法を用いて」と限定を付加し、また、「通信方法」に関し、「該複数の信号ソースから伝送されたデータを復号する工程と」を付加して、特許請求の範囲を減縮するものであるから、平成１８年法律第５５号改正附則第３条第１項によりなお従前の例によるとされる同法による改正前の特許法第１７条の２第３項（新規事項）及び特許法第１７条の２第４項第２号（補正の目的）の規定に適合している。
　
３．独立特許要件について
　本件補正は特許請求の範囲の減縮を目的とするものであるから、上記補正後の発明が特許出願の際独立して特許を受けることができるものであるのかどうかについて以下に検討する。
　
（１）補正後の発明
　上記「１．本願発明と補正後の発明」の項で補正後の発明として認定したとおりである。
　
（２）引用発明
　原審の拒絶理由に引用された国際公開第０２／０６５３８０号（以下、「引用例」という。）には、図面とともに以下の事項が記載されている。
　
イ．「Field of the Invention
　The present invention relates generally to radio frequency identification (RFID) tags.」（１頁３〜５行）
　
イ．訳文：「発明の技術分野
　本発明の分野は、一般にＲＦＩＤ（radio frequency identification）タグに関する。」
　
ロ．「1.1 Tag Interrogation Environment
　
　Before describing the invention in detail, it is helpful to describe an example environment in which the invention may be implemented. The present invention is particularly useful in radio frequency identification (RFID) applications. FIG. 1 illustrates an environment where an RFID tag reader network 104 communicates with an exemplary population of RFID tags 120, according to the present invention. As shown in FIG. 1, the population of tags 120 includes a first tag 102a, a second tag 102b, a third tag 102c, a fourth tag 102d, a fifth tag 102e, a sixth tag 102f, and a seventh tag 102g. These seven tags 102 are shown in the population of tags 120 for exemplary purposes. According to embodiments of the present invention, a population of tags 120 may include any number of one or more tags 102. In some embodiments, very large numbers of tags 102 may be included in a population of tags 120, including hundreds, thousands, or even more tags 102.
　
　As shown in FIG. 1, one or more interrogation signals 110 are transmitted from reader network 104 to the population of tags 120. One or more response signals 112 are transmitted from RFID tags 102 to reader network 104. For example, as shown in FIG. 1, first tag 102a transmits a first response signal 112a, second tag 102b transmits a second response signal 112b, third tag 102c transmits a third response signal 112c, fourth tag 102d transmits a fourth response signal 112d, fifth tag 102e transmits a fifth response signal 112e, sixth tag 102f transmits a sixth response signal 112f, and seventh tag 102g transmits a seventh response signal 112g. 
　
　According to the present invention, signals 110 and 112 are exchanged between reader network 104 and tags 102 according to one or more interrogation protocols. An exemplary protocol is the binary traversal protocol that is described below. The binary traversal protocol, in combination with other features of the present invention as described herein, efficiently avoids collisions between signals transmitted by tags 102 so that communications bandwidth is conserved and interrogation times are minimized. However, other interrogation protocols may be employed. Examples of such alternative protocols are described in U. S. Patent No.6,002,344 issued December 14,1999 to Bandy et al., entitled System and Method for Electronic Inventory.
　
　Signals 110 and 112 are wireless signals, such as radio frequency (RF) transmissions. Upon receiving a signal 110, a tag 102 may produce a responding signal 112 by alternatively reflecting and absorbing portions of signal 110 according to a time-based pattern. The time-based pattern is determined according to information that is designated for transmission to reader network 104. This technique of alternatively absorbing and reflecting signal 110 is referred to herein as backscatter modulation. Tags 102 may employ various approaches to perform backscatter modulation. In one such approach, tags 102 vary the impedance characteristics of onboard receive circuitry, such as one or more antennas and/or other connected electronic components.
　
　Each tag 102 has an identification number. In certain embodiments, each of tags 102 has a unique identification number. However, in other embodiments, multiple tags 102 may share the same identification number, or a portion thereof. During the aforementioned communications with tags 102, reader network 104 receives identification numbers from tags 102 in response signals 112. Depending on the protocol employed for such communications, the retrieval of identification numbers from tags 102 may involve the exchange of signals over multiple iterations. In other words, the receipt of a single identification number may require reader network 104 to transmit multiple signals 110. In a corresponding manner, tags 102 will respond with respective signals 112 upon the receipt of each signal 110, if a response is appropriate.
　
　Alternatively or in addition to identification numbers, reader network 104 may send other information to tags 102. For example, reader network 104 may store a unit of information in one or more of tags 102 to be retrieved at a later time. Depending upon the design of tags 102, this could be volatile or non-volatile information storage and retrieval.」（１９頁９行〜２１頁１０行）
　
ロ．訳文：「１．１  タグインタロゲーション環境
　
　本発明を詳細に説明する前に、本発明をインプリメントできる環境例について説明する。本発明は、ＲＦＩＤアプリケーションで特に有用である。図１は、ＲＦＩＤタグリーダネットワーク１０４が、本発明に従って、ＲＦＩＤタグ群１２０と通信する環境を示す。図１に示したように、タグ群１２０は、第１のタグ１０２ａ、第２のタグ１０２ｂ、第３のタグ１０２ｃ、第４のタグ１０２ｄ、第５のタグ１０２ｅ、第６のタグ１０２ｆ、および第７のタグ１０２ｇを含む。これら７つのタグ１０２は、本例においては、タグ群１２０内に示してある。本発明の実施形態においては、タグ群１２０は、１つまたは複数のタグ１０２を備えることができる。幾つかの実施形態においては、非常に多くのタグ１０２、例えば、数百、数千、さらに多くのタグをタグ群１２０に含めることができる。
　
　図１に図示したように、１つまたは複数のインタロゲーション信号１１０が、リーダネットワーク１０４からタグ群１２０に伝送される。１つまたは複数の応答信号１１２がＲＦＩＤタグ１０２からリーダネットワーク１０４に伝送される。例えば、図１に図示したように、第１のタグ１０２ａは第１の応答信号１１２ａを、第２のタグ１０２ｂは第２の応答信号１１２ｂを、第３のタグ１０２ｃは第３の応答信号１１２ｃを、第４のタグ１０２ｄは第４の応答信号１１２ｄを、第５のタグ１０２ｅは第５の応答信号１１２ｅを、第６のタグ１０２ｆは第６の応答信号１１２ｆを、第７のタグ１０２ｇは第７の応答信号１１２ｇを伝送する。
　
　本発明によれば、１つまたは複数のインタロゲーションプロトコルに基づいて、リーダネットワーク１０４とタグ１０２との間で、信号１１０および１１２が交換される。プロトコル例として、後述のバイナリトラバーサルプロトコルがある。このバイナリトラバーサルプロトコルは、ここで説明しているように本発明の他の特徴と組み合わせて、タグ１０２によって伝送された信号間の衝突を効率よく回避し、通信帯域幅を節約し、インタロゲーション時間を短縮することができる。ただし、他のインタロゲーションプロトコルも使用できる。他のプロトコルの例は、特許文献１に説明されている。
　
　信号１１０および１１２は、ＲＦ（radio frequency）伝送のようなワイヤレス信号である。タグ１０２は、信号１１０を受信した後、信号１１０の部分を、時間ベースのパターンに従って、交互に反射吸収することより、応答信号１１２を出力することができる。この時間ベースのパターンは、リーダネットワーク１０４への伝送に関して指定されている情報に従って、決定される。信号１１０を交互に吸収反射するこのような手法は、backscatter変調という。タグ１０２においては、種々のアプローチを採用して、backscatter変調を行うことができる。このようなアプローチにおいては、タグ１０２は、オンボードの受信回路、例えば１つまたは複数のアンテナおよび／またはその他の接続されている電子コンポーネントのインピーダンス特性を変化させている。
　
　タグ１０２は、それぞれＩＤ番号を有する。ある実施形態においては、タグ１０２は、それぞれ一意のＩＤ番号を有する。しかし、他の実施形態においては、複数のタグ１０２が同一のＩＤ番号をシェアするか、またはその一部をシェアすることができる。タグ１０２との上述の通信においては、リーダネットワーク１０４は、信号１１２に応答して、タグ１０２からＩＤ番号を受信する。このような通信のために採用されたプロトコルに応じて、タグ１０２からＩＤ番号を取り出すには、何回も繰り返して信号を交換する必要がある場合がある。言い換えると、単一のＩＤ番号を受信するのに、リーダネットワーク１０４が複数の信号１１０を伝送する必要がある。それに対応する方法では、タグ１０２は、応答が適正であれば、信号１１０を受信する度に、信号１１２で応答する。
 　
　あるいはまた、あるいはＩＤ番号に加えて、リーダネットワーク１０４は他の情報をタグ１０２に伝送することもできる。例えば、リーダネットワーク１０４は、１つまたは複数のタグ１０２に１単位の情報をストアしておき、後で取り出すことができる。タグ１０２の設計によって、情報のストアおよび取り出しを、揮発にも不揮発にもできる。」
　
ハ．「 1.2.1 Reader Transmitted Signals
　
　In an embodiment, reader network 104 transmits signals, such as signal 110, to tags 102 as amplitude modulated (AM) signals. For example, the transmitted signals may be narrowband AM signals. According to this approach, reader network 104 varies the amplitude of a carrier signal over a specific period of time that is a function of the information that it is transmitting. In alternative embodiments, other modulation schemes known by persons skilled in the relevant arts may be used by reader network 104 to communicate with tags 102.
　
　Reader network 104 conveys this information in the form of one or more symbols that are each selected from a symbol set. FIGS. 3,4, and 5 each illustrate a plot of a symbol of an exemplary symbol set that includes three symbols. In particular, FIG. 3 illustrates a plot of a symbol 302 that represents a logical 0, FIG. 4 illustrates a plot of a symbol 402 that represents a logical 1,and FIG. 5 illustrates a plot of a symbol 502 that represents a NULL symbol. The NULLsymbol may be used in performance of certain calibration procedures, as well as to affect or reset the operational states of tags 102. Further details regarding the use ofNULLsymbols are provided below.
　
　For each of symbols 302,402, and 502, reader network 104 varies the amplitude of a transmitted carrier signal between two values. These values are shown in FIGS. 3,4, and 5 as Shigh and Slow. This variation in amplitude between Shigh and Slow, occurs over an amount of time that is referred to herein as a symbol exchange period, TS. FIGS. 3,4, and 5 show TS being 12.5 microseconds. However, embodiments of the present invention may employ other values of TS, which may be provided either statically or dynamically (i. e.,on the fly). 
　
　The beginning of each symbol exchange period is referred to herein as a clock start time, TCS. The clock start time designates when reader network 104 changes the amplitude of its carrier signal from Shigh to Slow (referred to herein as afalling edge). Thus, TCS signifies the beginning of a period of time when the carrier signal amplitude is Slow. This period of time ends when reader network 104 changes the value of the carrier amplitude from Slow to Shigh (referred to herein as a rising edge). For the symbol set of symbols 302,402, and 502, reader network 104 designates the duration of this time period according to the symbol that is being transmitted.
　
　For instance, FIG. 3 shows that when transmitting a logical 0 symbol 302, reader network 104 maintains its carrier signal amplitude at Slow for a time duration of TA. However, when transmitting a logical 1 symbol 402, FIG. 4 shows that reader network 104 maintains the carrier amplitude at Slow for a time duration of TB. FIG. 5 shows that when transmitting a NULL symbol 502, reader network 104 maintains the carrier amplitude at Slow, for a time duration of TC. Exemplary values for TA, TB, and TC are 3.0 microseconds, 6.0 microseconds, and 9.5 microseconds, respectively. However, the use of other values is within the scope of the present invention.」（２６頁１１行〜２７頁２８行）
　
ハ．訳文：「１．２．１  リーダにより伝送される信号
　
　一実施形態においては、リーダネットワーク１０４は、信号１１０のような信号をＡＭ（amplitde modulation）変調信号として、タグ１０２に伝送する。例えば、伝送された信号は、ナローバンド（narrowband）のＡＭ信号とすることができる。このアプローチによれば、リーダネットワーク１０４は、伝送する情報の関数となっている特定の期間に搬伝送号の振幅を変化させる。他の実施形態においては、当業者であれば知っている他の変調方式をリーダネットワーク１０４で使用し、タグ１０２と通信することができる。
　
　リーダネットワーク１０４は、この情報をシンボルセットからそれぞれ選択した１つまたは複数のシンボルの形で伝達する。図３、４、および５は、それぞれ、３つのシンボルを含むシンボルセット例のうちの１つのシンボルのプロットを示す。特に、図３は論理「０」を表すシンボル３０２のプロットを示し、図４は論理「１」を表すシンボル４０２のプロットを、図５は「ＮＵＬＬ」シンボルを表すシンボル５０２のプロットを示す。この「ＮＵＬＬ」シンボルは、あるキャリブレーションプロシージャ（calibration procedure）をパフォームする際して使用することができ、同様に、タグ１０２のオペレーション状態に影響を及ぼし、リセットすることができる。さらに、この「ＮＵＬＬ」シンボルの使用に関しては、次に詳細に説明する。
　
　シンボル３０２、４０２、および５０２に対しては、それぞれ、リーダネットワーク１０４は、伝送されるキャリア信号（carrier signal）の振幅を、２つの値の間で変化させる。これら２つの値は、図３、図４、および図５に、ＳhighとＳlowとして示す。ＳhighとＳlowの間の振幅変化は、シンボル交換期間（symbol exchange period）、すなわちＴＳにおいて、生じる。図３、図４、および図５に示す例においては、ＴＳは１２．５μsecである。しかし、本発明の実施形態においては、ＴＳについて、他の値を使用しており、静的または動的に（つまりオンザフライ（on the fly）で）供給することができる。
　
　各シンボル交換期間の開始時点は、クロック開始タイムＴＣＳで示す。クロック開始タイムは、リーダネットワーク１０４が搬伝送号の振幅をＳhighからＳlowに変化させる時点を示す（以下「立ち下がりエッジ」という。）。したがって、ＴＣＳは、搬伝送号振幅がＳlowのときの期間の開始時点を示す。この期間は、リーダネットワーク１０４がキャリア振幅をＳlowからＳhighに変化させたときに終了する（以下「立ち上がりエッジ」という。）。シンボル３０２、４０２、および５０２のシンボルセットに対して、リーダ１０４は、伝送されているシンボルに従って、この期間の持続時間を指定する。
　
　例えば、図３は、論理「０」シンボル３０２を伝送するときに、リーダ１０４は、その搬伝送号振幅を、ＴＡという持続時間の間、Ｓlowに保持することを示している。しかし、論理「１」シンボル４０２を伝送するときには、図４は、リーダ１０４がキャリア振幅をＴＢの持続時間の間、Ｓlowに保持することを示している。図５は、「ＮＵＬＬ」シンボル５０２を伝送するときに、リーダ１０４が、キャリア振幅をＴＣという持続時間の間、Ｓlowに保持することを示している。ＴＡ、ＴＢ、およびＴＣの値の例は、それぞれ、３．０μsec、６．０μsec、および９．５μsecである。しかし、他の値を使用しても、本発明の範囲を逸脱しないものとする。」
　
ニ．「2.1.1 Structural Overview
　
　FIG. 10 is a block diagram of a tag 102, according to an embodiment of the present invention. Tag 102 includes an integrated circuit 1002, a plurality of pads 1004a, 1004b, 1004c, and 1004d, a capacitor 1006, an optional battery 1008, a first antenna 1010a and a second antenna 1010b. These components are mounted or formed on a substrate 1001. These components are described in further detail below.
　
　Pads 1004 provide electrical connections between integrated circuit 1002 and other components related to tag 102. For instance, RF pad 1004b establishes a connection between integrated circuit 1002 and first antenna 1010a. Similarly, RF pad 1004d provides a connection between integrated circuit 1002 and second antenna 1010b. 
　
2.1.2 Capacitor/Battery
　
　External power pad 1004c and ground pad 1004a establish connections to provide integrated circuit 1002 with an operating voltage. As shown in FIG. 10, a capacitor 1006 is coupled between pads 1004c and 1004a. Capacitor 1006 stores operating voltage and power obtained through power harvesting circuitry within integrated circuit 1002. This power harvesting circuitry converts low-voltage oscillating RF energy that integrated circuit 1002 receives through antennas 1010a and 1010b into a higher voltage direct current (DC) signal. Further details regarding such power harvesting techniques are provided below.
　
　An optional battery 1008 or other power source may also be coupled between pads 1004c and 1004a. The use of battery 1008 makes the presence of capacitor 1006 optional. In other words, capacitor 1006 may either be absent or coupled in parallel with battery 1008 (i.e., between pads 1004c and 1004a). When present, battery 1008 provides integrated circuit 1002 with an operating voltage that is independent of the performance of its power harvesting circuitry. Power harvesting circuitry typically generates a DC voltage and current that is dependent on the level of available RF energy. Thus, as the physical distance between tag 102 and reader network 104 increases, the DC voltage level that is obtainable through power harvesting techniques decreases.」（３３頁１６行〜３４頁２１行）
　
ニ．訳文：「２．１．１  構造の概要
　
　図１０は、本発明の一実施形態に係るタグ１０２のブロック図である。タグ１０２は、ＩＣ（integrated circuit）１００２と、複数のパッド１００４ａ、１００４ｂ、１００４ｃ、および１００４ｄと、キャパシタ１００６と、オプションのバッテリ１００８と、第１のアンテナ１０１０ａと、第２のアンテナ１０１０ｂとを含む。これらのコンポーネントは、基板１００１上にマウントされるか、または形成される。これらのコンポーネントについて、次に詳述する。
　
　パッド１００４は、ＩＣ１００２と、タグ１０２に関連する他のコンポーネントとを電気的に接続する。例えば、ＲＦパッド１００４ｂは、ＩＣ１００２と、第１のアンテナ１０１０ａとを接続する。同様に、ＲＦパッド１００４ｄは、ＩＣ１００２と、第２のアンテナ１０１０ｂとを接続する。
　
２．１．２  キャパシタ／バッテリ
　
　外部電源パッド１００４ｃおよびグラウンドパッド１００４ａは、ＩＣ１００２に電圧を印加するため、接続される。図１０に図示したが、キャパシタ１００６はパッド１００４ｃと１００４ａとの間に結合される。キャパシタ１００６は、ＩＣ１００２内のパワーハーベスティング回路（power harvesting circuitry）を介して得られるオペレート電圧およびパワーを蓄積する。このパワーハーベスティング回路は、ＩＣ１００２がアンテナ１０１０ａおよび１０１０ｂを介して受信した低電圧発振ＲＦエネルギーを、それよりも高い電圧の直流電流（ＤＣ）信号に変換する。このようなパワーハーベスティング技術の詳細を次に説明する。
　
　オプションのバッテリ１００８その他の電源も、パッド１００４ｃと１００４ａの間に結合することができる。バッテリ１００８を使用すると、キャパシタ１００６はあってもなくてもよい。つまり、キャパシタ１００６はなくてもよいし、バッテリ１００８と並列（つまり、パッド１００４ｃと１００４ａの間に）に結合することもできる。バッテリ１００８を使用する場合に、は、バッテリ１００８は、そのパワーハーベスティング回路のオペレーションと無関係のオペレート電圧を、ＩＣ１００２に供給する。このパワーハーベスティング回路は、典型的には、使用可能なＲＦエネルギーのレベルに依存するＤＣ電圧および電流を発生する。したがって、タグ１０２とリーダネットワーク１０４との間の物理的距離が増大すると、パワーハーベスティング手法により得られるＤＣ電圧レベルは減少する。」
　
ホ．「FIG. 13 provides a flowchart illustrating an example operation of the binary traversal protocol from the perspective of a single tag 102, according to an embodiment of the present invention. By operating according to the flowchart of FIG. 13, tag 102 responds to signals from reader network 104 with a reduced level of required processing. Hence, tags 102 require fewer transistors, thereby consuming less power and occupying less space, which reduces integrated circuit costs.
　
　As shown in FIG 13, the flowchart begins with step 1302. In step 1302, tag 102 is in dormant state 1202.
　
　In step 1304, tag 102 receives a master reset signal from reader network 104. Upon receipt of this signal, tag 102 moves from dormant state 1202 to calibration state 1204, and operational flow proceeds to step 1306.
　
　In step 1306, tag 102 is synchronized with reader network 104. Accordingly, in step 1306, tag 102 performs oscillator calibration with reader network 104, and performs data calibration with reader network 104. These procedures are further described below.
　
　In step 1307, tag 102 enters command state 1206 and operation proceeds to a step 1308.
　
　In step 1308, tag 102 initializes the data to be transmitted. The data is retrieved from data programming unit 1020 shown in FIG. 10. Tag 102 prepares to send the first bit.
　
　In step 1309, tag 102 receives a command from reader network 104 to enter tree traversal state 1208. In a preferred embodiment, the command is a single bit, such as a logical 0 symbol 302. 
　
　In step 1310, tag 102 sends the designated identification number bit to reader network 104. Accordingly, step 1310 may include tag 102 sending a backscatter modulated symbol to reader network 104, such as one of the symbols described above with reference to FIGS. 6,7,8, and 9. As described below with reference to FIGS. 14 and 15, reader network 104 receives the identification bit and determines which tag 102 (or tags 102) to address next. This determination involves reader network 104 transmitting a bit value (i.e., either a 0 or a 1) that it considers valid. With reference to tag 102 shown in FIG. 10, step 1310 may include state machine 1024 referencing a least significant (LSB) tag bit pointer to the designated identification number bit stored in data programming unit 1020 in FIG. 10.
　
　In step 1312, tag 102 receives a next bit from reader network 104.
　
　In step 1316, the tag determines if the bit received from the reader network 104 in step 1312 is a data NULL symbol 502. If the bit is a data NULL symbol 502, reader network 104 instructs tag 102 to discontinue operations until the next reset, and operation passes to step 1302. However, if the bit is not a data NULL symbol 502, operation passes to step 1318.
　
　In step 1318, tag 102 compares the bit sent in step 1310 and the bit received from reader network 104 during prior step 1312. If the bits do not match, operation passes to step 1319. This is an example of the implicit nature of the present invention. Transmitting a single data symbol from reader network 104 causes each tag 102 in the population of tags 120 to contextually switch to one of several possible states. This implicit operation contrasts with conventional explicit protocols. In explicit protocols, a command from a reader specifically addresses a population or subset population of tags. Hence, only the addressed population or subset population of tags moves to a directed state. Subsequent commands are required to address the remaining tags. Thus, multiple operations are required by the reader to accomplish what the implicit approach of the present invention can accomplish in a single operation. 
　
　In step 1319, tag 102 enters mute state 1212, where backscatter transmissions are suspended. However, tag 102 keeps track of data symbols being sent by reader network 104.
　
　In step 1320, tag 102 receives a data symbol from reader network 104.
　
　In step 1321, after receipt of a symbol from reader network 104 in step 1320, tag 102 determines if the symbol is a data NULL symbol 502. If it is not, operation passes to state 1319.
　
　Upon receipt of a data NULL signal in step 1321, operation passes to step 1307, where tag 102 transitions to command state 1206.
　
　If the bit received from reader network 104 during step 1312 matches the bit sent by tag 102 during the prior step 1310, tag 102 remains in tree traversal state 1208. Operation then may proceed to an optional step 1322, when present. If step 1322 is not present, operation proceeds to step 1324.
　
　In optional step 1322, tag 102 determines whether it has sent all desired information (e.g., identification information) to reader network 104. If all desired information has been sent, tag 102 has been completely read (i.e., interrogated), and operation passes to step 1302. If tag 102 determines in step 1322 that all desired information has not been sent to reader network 104, operation proceeds to step 1324.
　
　In step 1324, tag 102 designates a next bit of its identification number to be sent to reader network 104. For example, the designated next bit may be the next significant bit to the previously selected bit (i.e., either the bit next to the bit initially designated in step 1308, or the bit selected most recently in step 1324). Thus, step 1324 may include state machine 1024 incrementing its tag bit pointer to the next most significant bit position in data programming unit 1020 shown in FIG. 10.
　
　After completion of step 1324, operation passes to step 1310. In step 1310, tag 102 transmits the bit designated in step 1324 to reader network 104 as a backscatter symbol.
　
　During traversal sequences, such as the traversal sequence described above with reference to FIG. 13, reader network 104 may employ various traversal termination techniques that each cause tag 102 to enter dormant state 1202. That is, such termination techniques will cause operation of tag 102 to return to step 1302. 
　
　The ability to cause tag 102 to enter dormant state 1202 when desired enables reader network 104 to interrupt an ongoing traversal and immediately proceed to a new traversal. A first termination technique involves reader network 104 sending a data NULL symbol 502, such as the data NULL symbol 502 described above with reference to FIG. 5. As shown in the state diagram of FIG. 12A, the receipt of a data NULL symbol 502 causes tag 102 to enter dormant state 1202. Hence, receipt of a data NULL symbol 502 causes operation in the flowchart of FIG. 13 to pass to step 1302.
　
　Once in dormant state 1202, reader network 104 may initiate a new binary traversal by causing steps 1304-1309 of FIG. 13 to be performed. In other words, reader network 104 may initiate a binary traversal by transmitting a master reset signal, performing calibration procedures with tag(s) 102, and transmitting a command for tag(s) 102 to enter tree traversal state 1208.」（５３頁８行〜５６頁１５行）
　
ホ．訳文：「図１３は、本発明の一実施形態に係る、単一タグ１０２の観点からバイナリトラバーサルのオペレーションの例を説明する流れ図を示している。図１３の流れ図に従ってオペレートするから、タグ１０２はリーダネットワーク１０４からの信号に応答し、必要な処理レベルが減少する。したがって、タグ１０２においては、トランジスタの点数を減らし、消費パワーおよび占有空間を削減して、ＩＣのコストを下げる必要がある。
　
　図１３に図示したように、流れ図はステップ１３０２から開始される。ステップ１３０２では、タグ１０２はドーマント状態１２０２にある。
　
　ステップ１３０４では、タグ１０２はリーダネットワーク１０４からマスタリセット信号を受信する。この信号を受信すると、タグ１０２はドーマント状態１２０２からキャリブレーション状態１２０４に移行し、オペレーションの流れはステップ１３０６に進む。
　
　ステップ１３０６では、タグ１０２はリーダネットワーク１０４と同期する。したがって、ステップ１３０６で、タグ１０２は、リーダネットワーク１０４による発振器キャリブレーションを実行し、リーダネットワーク１０４によるデータキャリブレーションを実行する。これらのプロシージャについては次に詳述する。
　
　ステップ１３０７において、タグ１０２はコマンド状態１２０６に入り、オペレーションはステップ１３０８に進む。
　
　ステップ１３０８においては、タグ１０２は伝送するデータを初期化する。データは、図１０に示したデータプログラミングユニット１０２０から取り出される。タグ１０２が第１のビットを伝送する準備をする。
　
　ステップ１３０９で、タグ１０２はリーダネットワーク１０４からコマンドを受信し、ツリートラバーサル状態１２０８に入る。好ましい実施形態においては、コマンドは、論理「０」シンボル３０２のような単一ビットである。
　
　ステップ１３１０では、タグ１０２は指定されたＩＤ番号ビットをリーダネットワーク１０４に送る。したがって、ステップ１３１０は、図６、図７、図８、および図９を参照して上述したシンボルの１つのようなbackscatter変調シンボルを、リーダネットワーク１０４に伝送するタグ１０２を含むことができる。図１４および図１５を参照して次に説明するように、リーダネットワーク１０４はＩＤビットを受け取って、次に処理するタグ１０２（または複数のタグ１０２）を決定する。この決定では、リーダネットワーク１０４が、有効とみなされるビット値（つまり、「０」または「１」）を伝送する。図１０に図示したタグ１０２を参照すると、ステップ１３１０には、状態マシーン１０２４が、図１０のデータプログラミングユニット１０２０にストアされている指定されたＩＤ番号ビットを指し示すＬＳＢ（last significant）タグビットポインタを参照することを含むことができる。
　
　ステップ１３１２で、タグ１０２はリーダネットワーク１０４から次のビットを受信する。
　
　ステップ１３１６で、タグは、ステップ１３１２でリーダネットワーク１０４から受け取ったビットがデータ「ＮＵＬＬ」シンボル５０２かどうか、を判定する。仮にこのビットがデータ「ＮＵＬＬ」シンボル５０２である場合に、は、リーダネットワーク１０４は次のリセットまでオペレーションを中断するようにタグ１０２に指令し、オペレーションはステップ１３０２に進む。しかし、仮にビットがデータ「ＮＵＬＬ」シンボル５０２でない場合に、は、オペレーションはステップ１３１８に移動する。
　
　ステップ１３１８で、タグ１０２は、ステップ１３１０で送られたビットと、ステップ１３１２でリーダネットワーク１０４から受け取ったビットとを比較する。ビットが一致しない場合に、は、オペレーションはステップ１３１９に進む。これは、本発明の暗黙の性質を示す例である。リーダネットワーク１０４から単一データシンボルを伝送すると、タグ群１２０内のそれぞれのタグ１０２は状況に応じて複数の可能な状態のうちの１つに切り換わる。この暗黙のオペレーションは、従来の「明示的な」プロトコルと対照的なものである。明示的なプロトコルでは、リーダからのコマンドにより、特にタグ群またはタグ群のサブセットをアドレッシングする。したがって、アドレッシングされたタグ群またはタグ群のサブセットのみが、指示された状態に移行する。それ以降のコマンドは、残りのタグをアドレッシングする必要がある。したがって、本発明の暗黙のアプローチが単一のオペレーションで実行できるオペレーションを実行するため、リーダにおいては、複数のオペレーションが必要である。
　
　ステップ１３１９では、タグ１０２がミュート状態１２１２に入り、この状態で、backscatter伝送がサスペンドされる。しかし、タグ１０２はリーダネットワーク１０４により送られるデータシンボルをトラッキングする。
　
ステップ１３２０で、タグ１０２はリーダネットワーク１０４からデータシンボルを受信する。
　
　ステップ１３２１では、ステップ１３２０でリーダネットワーク１０４からシンボルを受信した後、タグ１０２はシンボルがデータ「ＮＵＬＬ」シンボル５０２かどうかを判定する。そうでない場合、オペレーションは状態１３１９に進む。
　
　ステップ１３２１でデータ「ＮＵＬＬ」信号を受け取った後、オペレーションはステップ１３０７に移り、ステップ１３０７において、タグ１０２がコマンド状態１２０６に遷移する。
　
　ステップ１３１２でリーダネットワーク１０４から受け取ったビットが、前のステップ１３１０でタグ１０２により送られたビットと一致する場合、タグ１０２はツリートラバーサル状態１２０８のままである。その後、オペレーションは、オプションのステップ１３２２が存在する場合に、は、そのステップに進む。ステップ１３２２が存在しない場合に、は、オペレーションは状態１３２４に進む。
　
　オプションのステップ１３２２で、タグ１０２は、目的の全ての情報（例えば、識別情報）がリーダネットワーク１０４に伝送されたかどうかを判定する。目的の全ての情報が送られている場合、タグ１０２は完全にリードされており（つまり、インタロゲーションされており）、オペレーションは１３０２に進む。タグ１０２がステップ１３２２で、目的の全ての情報がリーダネットワーク１０４に伝送されたと判定した場合に、は、オペレーションはステップ１３２４に移動する。
　
　ステップ１３２４で、タグ１０２はリーダネットワーク１０４に送るＩＤ番号の次のビットを指定する。例えば、指定された次のビットは、すでに選択されているビットの次の上位ビットとすることができる（つまり、ステップ１３０８で最初に指定されたビットの次のビット、またはステップ１３２４で最も最近に選択されたビット）。したがって、ステップ１３２４は、状態マシーン１０２４が、図１０に図示したデータプログラミングユニット１０２０内の次の最上位ビット位置を指し示すタグビットポインタをインクリメントすることを含むことができる。
　
　ステップ１３２４が正常終了した後、オペレーションはステップ１３１０に進む。ステップ１３１０では、タグ１０２はステップ１３２４で指定したビットをリーダネットワーク１０４にbackscatterシンボルとして伝送する。
　
　トラバーサルシーケンスの、例えば、図１３を参照して説明したトラバーサルシーケンスでは、リーダをネットワーク１０４は、タグ１０２をドーマント状態１２０２にする種々のトラバーサル終了手法を採用することができる。つまり、このような終了手法により、タグ１０２のオペレーションがステップ１３０２に戻るということである。
　
　タグ１０２が必要に応じてドーマント状態１２０２に入ることができれば、リーダネットワーク１０４は、進行中のトラバーサルを中断し、直ちに新しいトラバーサルに移行することができる。第１の終了手法では、リーダネットワーク１０４は、図５を参照して上述したデータ「ＮＵＬＬ」シンボシンボル５０２のようなデータ「ＮＵＬＬ」シンボル５０２を伝送する。図１２Ａの状態図に図示したが、データ「ＮＵＬＬ」シンボル５０２を受信すると、タグ１０２はドーマント状態１２０２に入る。したがって、データ「ＮＵＬＬ」シンボル５０２を受信すると、図１３の流れ図の中のオペレーションは、ステップ１３０２に進む。
　
　ドーマント状態１２０２に入ると、リーダネットワーク１０４は、図１３のステップ１３０４〜１３０９を実行させることにより、新規バイナリトラバーサルを開始することができる。つまり、リーダネットワーク１０４はマスタリセット信号を伝送し、タグ１０２によりキャリブレーションプロシージャを実行し、タグ１０２がツリートラバーサル状態１２０８に入るためのコマンドを伝送することによりバイナリトラバーサルを開始することができる。」
　
ヘ．「FIG. 16 is an illustration an exemplary population of tags 120, that includes a first, a second, and a third tag 102a, 102b, and 102c. FIG. 16 shows the traversal of tags 102a-c in a binary tree format. For exemplary purposes, each tag has a third bit long identification number. The binary tree shown in FIG. 16 has three levels, where each level corresponds to a bit in the three bit identification number. The first level of the binary tree, is the start level, which corresponds to steps 1401-1404 shown in FIG. 14A, and to steps 1501-1504 shown in FIG. 15A. The second level of the binary tree represents the first bit of the identification numbers of tags 102a, 102b, and 102c (reading from the left). The second level corresponds to steps 1405 and 1507 as shown in FIGS. 14 and 15, respectively.
　
　In FIG. 16, the 0 branch of the binary tree descends towards the left, and the 1 branch descends towards the right. As described above with reference to FIG. 15A, reader network 104 may prefer a particular signal when performing a general read interrogation. For example, as shown in the flowchart of FIG. 15B, reader network 104 prefers 0 (i.e., descending towards the left in FIG. 16) on any combination of signals received. Each successive downward level in the binary tree diagram represents another bit read from tags 102. Each branch in the binary tree diagram represents a decision (i.e., a command) and a bit transmitted by reader network 104.
　
　A first example shows how reader network 104 reads tag 102b through a specific read interrogation technique. For exemplary purposes, the bits are not inverted into a least significant bit (LSB) first format. Instead, for ease of illustration, the examples based on FIG. 16 flow from most significant bit (MSB) to LSB, as read from left to right. The operational sequence of FIG. 14B is followed. First, reader network 104 receives 100 from a host system, where the host system desires to confirm the existence of tag 102b. Reader network 104 performs steps 1401-1405 shown in FIG. 14A, and transmits bit 0 to tags 102, which is an instruction to enter tree traversal state 1208. In FIG. 16, these operations occur at point 1605.
　
　At this point, tags 102a, 102b, and 102c are active, because these tags have reached step 1309 of FIG. 13. Tags 102a, 102b, and 102c then send their first bit, pursuant to step 1310. Accordingly, tag 102a transmits a 0 backscatter symbol 602 and tags 102b and 102c transmit 1 backscatter symbols 802.
　
　Due to receiving the symbols from tags 102a-c, reader network 104 has received a plurality of signals (e.g., a 0 backscatter symbol and two 1 backscatter symbols). Operation proceeds through step 1409 (on the yes branch) as a bit 1 was received. Reader network 104 requires additional bits to be read, and thus operation proceeds through step 1406 to step 1407, which designates its target bit of 1 (i.e., the first bit of100received from the host) as the reader bit. Because, reader network 104 finds the target bit 1 in the received combination signal, this bit is transmitted to tags 102a-c, pursuant to step 1405. In FIG. 16, this is illustrated as a move down the logical 1 path from point 1605 to point 1606. Point 1606 represents storage of a bit 1. 
　
　Tags 102a-c receive the 1 symbol 402 transmitted by reader network 104. However, different responses occur among tags 102a-c. The bit 0 transmitted by tag 102a does not match the bit sent from reader network 104. Accordingly tag 102a transitions to mute state 1212, as shown as the path from 1318 to step 1319 in FIG. 13. Tag 102a now effectively awaits a data NULL signal, which would indicate a new binary traversal by reader network 104.
　
　Since tags 102b and 102c each transmitted a 1 backscatter symbol that matched the bit transmitted by reader network 104, tags 102b and 102c load their next bit to be transmitted. Tag 102b loads a 0 bit, and tag 102c loads a 1 bit). Tags 102b and 102c transmit these bits as backscatter signals 702 and 902, respectively, to reader network 104 pursuant to steps 1316, 1318, 1324 and 1310. Reader network 104 loads the second bit of the tag identification number, 0, (step 1407), and receives a plurality of signals in step 1408 (i.e., the transmitted 0 and 1 backscatter symbols). In steps 1409 and 1406, reader network 104 determines that a 0 bit was received, and that there are additional bits to collect. Hence, operation of reader network 104 proceeds to step 1405, and transmits the 0 symbol 302. In FIG. 16, the transmission of the 0 symbol 302 by reader network 104 is illustrated as a move to point 1607. Hence, point 1607 represents receiving the bits of 10.
　
　Tag 102c receives the 0 symbol 302 transmitted by reader network 104 (step 1312). However, tag 102c had last transmitted a 1 backscatter symbol (step 1310). Hence, because these bits do not match (step 1318), tag 102c transitions to mute state 1212 (step 1319), and therefore awaits the next binary traversal.
　
　Tag 102b receives the 0 symbol 302, and because it had last transmitted a 0 backscatter symbol, the bits do match (step 1318). Operation proceeds to step 1310, where tag 102b transmits its next bit of 0 as backscatter symbol 602.
　
　Reader network 104 loads the next target bit of 0 (step 1407), and receives the bit 0 transmitted by tag 102b (step 1408). These bits match, and operation therefore proceeds from step 1409 to step 1406. Reader network 104 determines that all 3 bits of the identification number are received, in step 1406. Reader network 104 may now report the match to the host system (step 1499). This result is illustrated in FIG. 16 as point 1608, where reader network 104 has stored 100. Thus, reader network 104 has successfully determined the existence of tag 102b.」（７２頁１２行〜７５頁２行）
　
ヘ．訳文：「図１６は、タグ群１２０の例を示しており、第１のタグ１０２ａ、第２のタグ１０２ｂ、および第３のタグ１０２ｃを含む。図１６は、タグ１０２ａ〜ｃのトラバーサルをバイナリツリー形式で示している。例示のため、各タグには、第３のビット長のＩＤ番号が含まれる。図１６に図示したバイナリツリーは、３レベルであり、各レベルは、３ビットＩＤ番号の１ビットに対応している。このバイナリツリーの第１レベルは、開始レベルであり、図１４Ａに図示したステップ１４０１〜１４０４と、図１５Ａに図示したステップ１５０１〜１５０４とに対応する。バイナリツリーの第２レベルは、タグ１０２ａ、１０２ｂ、１０２ｃのＩＤ番号（左から読む）の第１ビットを表す。第２レベルは、それぞれ、図１４および図１５に図示したが、ステップ１４０５および１５０７に対応している。
　
　図１６において、バイナリツリーの「０」分岐は左へ降下し、「１」分岐は右へ降下する。図１５Ａを参照して上述したように、リーダネットワーク１０４は、汎用リードインタロゲーションを実行する際に、特定の信号のプレファレンスを設定できる。例えば、図１５Ｂの流れ図に図示したが、リーダネットワーク１０４は、受信した信号の組み合せについて、「０」を優先させている（つまり、図１６で左へ降下する）。バイナリツリー図において、下方に連続するレベルは、タグ１０２からリードした別のビットを表す。バイナリツリー図の各分岐は、決定（つまり、コマンド）を表し、リーダネットワーク１０４により伝送されるビットを表す。
　
　第１の例においては、リーダネットワーク１０４が特定のリードインタロゲーション手法によりタグ１０２ｂをリードする方法を示す。この例は例示であるから、これらビットはＬＳＢファーストフォーマット（LSB first format）に変換されない。その代わり、説明を簡単にするため、図１６に基づく例は、左から右に読んだとき、ＭＳＢ（most significant bit）からＬＳＢに流れるようになっている。図１４Ｂのオペレーションシーケンスをたどる。まず、リーダネットワーク１０４がホストシステムから「１００」を受け取るが、このホストシステムはタグ１０２ｂの存在を確認することを望んでいる。リーダネットワーク１０４は図１４Ａに図示したステップ１４０１〜１４０５を実行し、ツリートラバーサル状態１２０８に入る指令であるビット「０」を、タグ１０２に伝送する。図１６では、これらのオペレーションはポイント１６０５で実行される。
　
　このポイントにおいて、タグ１０２ａ、１０２ｂ、および１０２ｃは、図１３のステップ１３０９に到達しているので、アクティブである。その後、タグ１０２ａ、１０２ｂ、および１０２ｃは、ステップ１３１０に従って、その第１ビットを伝送する。ステップ１３１０においては、タグ１０２ａが「０」backscatterシンボル６０２を伝送し、タグ１０２ｂおよび１０２ｃが「１」backscatterシンボル８０２を伝送する。
　
　タグ１０２ａ〜１０２ｃからシンボルを受信したので、リーダネットワーク１０４は複数の信号を受信する（例えば、１つの「０」backscatterシンボルと、２つの「１」backscatterシンボル）。ビット「１」を受信すると、オペレーションはステップ１４０９を通る（「Yes」分岐で）。リーダネットワーク１０４は追加ビットをリードする必要があり、オペレーションは、ステップ１４０６を通って、ステップ１４０７に進み、ステップ１４０７において、リーダビットとしてターゲットビット「１」（つまり、ホストから受信した「１００」の第１ビット）を指定する。リーダネットワーク１０４は、受信した組み合せ信号内にターゲットビット「１」を見つけるので、このビットはステップ１４０５に従ってタグ１０２ａ〜１０２ｃに伝送される。図１６においては、これは、ポイント１６０５からポイント１６０６への論理「１」パスを下る移動として示されている。ポイント１６０６は、ビット「１」が記憶されたことを表す。
　
　タグ１０２ａ〜ｃは、リーダネットワーク１０４によって伝送された「１」シンボル４０２を受信する。しかし、タグ１０２ａ〜ｃ間で異なる応答が発生する。タグ１０２ａによって伝送されたビット「０」が、リーダネットワーク１０４から伝送されたビットと一致しない。したがって、図１３のステップ１３１８から１３１９へのパスとして示されているように、タグ１０２ａはミュート状態１２１２に遷移する。タグ１０２ａは、データ「ＮＵＬＬ」信号を実際に待ち、リーダネットワーク１０４によって新しいバイナリトラバ
ーサルが示される。
　
　タグ１０２ｂおよび１０２ｃはそれぞれリーダネットワーク１０４によって伝送されたビットと一致する「１」backscatterシンボルを伝送したので、タグ１０２ｂおよび１０２ｃは伝送する次のビットをロードする。タグ１０２ｂは、「０」ビットをロードし、タグ１０２ｃは「１」ビットをロードする。タグ１０２ｂおよび１０２ｃは、ステップ１３１６、１３１８、１３２４、および１３１０に従って、これらのビットをbackscatter信号７０２および９０２としてそれぞれ、リーダネットワーク１０４に伝送する。リーダネットワーク１０４は、タグＩＤ番号の第２のビット「０」をロードし（ステップ１４０７）、ステップ１４０８で複数の信号を受信する（つまり、伝送された「０」および「１」backscatterシンボル）。ステップ１４０９および１４０６において、リーダネットワーク１０４は、「０」ビットを受信したことを判定し、また収集する追加ビットもあると判定する。したがって、リーダネットワーク１０４のオペレーションはステップ１４０５に進み、「０」シンボル３０２を伝送する。図１６において、リーダネットワーク１０４による「０」シンボル３０２の伝送は、ポイント１６０７への移動として示されている。したがって、ポイント１６０７は、「１０」のビットを受信することを表している。
　
　タグ１０２ｃは、リーダネットワーク１０４によって伝送された「０」シンボル３０２を受信する（ステップ１３１２）。しかし、タグ１０２ｃは最後に「１」backscatterシンボルを伝送してしまっている（ステップ１３１０）。そこで、これらのビットは一致しないので（ステップ１３１８）、タグ１０２ｃはミュート状態１２１２に遷移し（ステップ１３１９）、次のバイナリトラバーサルを待つ。
　
　タグ１０２ｂは、「０」シンボル３０２を受信し、最後に「０」backscatterシンボルを伝送してしまっているため、ビットは一致する（ステップ１３１８）。オペレーションはステップ１３１０に進み、そこで、タグ１０２ｂが「０」の次のビットをbackscatterシンボル６０２として伝送する。
　
　リーダネットワーク１０４は、「０」の次のターゲットビットをロードし（ステップ１４０７）、タグ１０２ｂにより伝送されたビット「０」を受信する（ステップ１４０８）。これらのビットは一致し、オペレーションはステップ１４０９からステップ１４０６に進む。リーダネットワーク１０４は、ステップ１４０６において、ＩＤ番号の３ビット全てを受信したと判定する。リーダネットワーク１０４は、その一致をホストシステムに伝送する（ステップ１４９９）。この結果は、図１６において、ポイント１６０８として示されており、リーダネットワーク１０４は「１００」をストアしている。したがって、リーダネットワーク１０４は、タグ１０２ｂが存在することを正しく判定している。」
　
　上記引用例の記載及び図面ならびにこの分野における技術常識を考慮すると、上記摘記事項ロ．、ニ．の記載、及びＦＩＧ．１及びＦＩＧ．１０によれば、（α）リーダネットワーク（１０４）は、複数のＲＦＩＤタグ（１２０）を、活動化していることが読み取れる。ここで、各ＲＦＩＤタグは、他のＲＦＩＤタグと物理的および電気的に分離されていることは、タグがいわゆる荷札（tag）であって、個別の物品に付されるものであること、及びＲＦ（無線）タグであるから、タグとの電気的接続がないことより技術常識である。
　また、上記摘記事項ホ．、ヘ．の記載、ＦＩＧ．１３及びＦＩＧ．１６によれば、（β）リーダネットワーク（１０４）は、複数のＲＦＩＤタグにツリートラバーサル状態に入れるコマンドを伝送し、コマンドに応答して、複数のＲＦＩＤタグに同じbackscatter変調を用いてＩＤ番号ビットを伝送させていることが読み取れる。
　また、（γ）リーダネットワーク（１０４）は、複数のＲＦＩＤタグから伝送されたＩＤ番号ビットを受信している。
　
　したがって、上記（α）〜（γ）を工程毎にまとめると、上記引用例には、以下の発明（以下、「引用発明」という。）が開示されている。
　
　「各ＲＦＩＤタグは、他のＲＦＩＤタグと物理的および電気的に分離されている、複数のＲＦＩＤタグを活動化する工程と、
　該複数のＲＦＩＤタグにツリートラバーサル状態に入れるコマンドを伝送し、該コマンドに応答して、該複数のＲＦＩＤタグに同じbackscatter変調を用いてＩＤ番号ビットを伝送させる工程と、
　該複数のＲＦＩＤタグから伝送されたＩＤ番号ビットを受信する工程と、
からなる方法。」
　
（３）対比・判断
　補正後の発明と引用発明とを対比する。
ａ．引用発明の「ＲＦＩＤタグ」は、応答信号の発信源（ソース）であるから、補正後の発明の「信号ソース」に相当する。
ｂ．引用発明の「ツリートラバーサル状態に入れるコマンド」と、補正後の発明の「同期化イベント」とは、いずれも、「特定の事象」という点で一致する。
ｃ．引用発明の「ＩＤ番号ビット」と、補正後の発明の「データ」とは、いずれも、「デジタル情報」という点で一致する。
ｄ．引用発明の「受信」と、補正後の発明の「復号」とは、いずれも、「処理」という点で一致する。
ｅ．引用発明の「方法」は、通信方法ということができる。
　
　したがって、補正後の発明と引用発明は、以下の点で一致ないし相違している。
　
（一致点）
　「各信号ソースは他の信号ソースと物理的および電気的に分離されている、複数の信号ソースを活動化する工程と、
　該複数の信号ソースに特定の事象を伝送し、該特定の事象に応答して、該複数の信号ソースに同じ変調法を用いてデジタル情報を伝送させる工程と、
　該複数の信号ソースから伝送されたデジタル情報を処理する工程と、
からなる通信方法。」
　
（相違点１）
　「特定の事象」に関し、
　補正後の発明は、「同期化イベント」であるのに対し、引用発明は、「ツリートラバーサル状態に入れるコマンド」である点。
　
（相違点２）
　「デジタル情報」に関し、
　補正後の発明は、「データ」であるのに対し、引用発明は、「ＩＤ番号ビット」である点。
　
（相違点３）
　複数の信号ソースに、「伝送させる工程」に関し、
　補正後の発明は、「同時に」伝送させるのに対し、引用発明は、「同時に」伝送させるか不明な点。
　
（相違点４）
「処理」に関し、
　補正後の発明は、「復号」であるのに対し、引用発明は、「受信」である点。
　
　そこで、まず、上記相違点１について検討する。
　引用発明は、「ツリートラバーサル状態に入れるコマンド」であるところ、引用例の上記摘記事項ハ．における「各シンボル交換期間の開始時点は、クロック開始タイムＴＣＳで示す。クロック開始タイムは、リーダネットワーク１０４が搬伝送号の振幅をＳhighからＳlowに変化させる時点を示す（以下「立ち下がりエッジ」という。）。したがって、ＴＣＳは、搬伝送号振幅がＳlowのときの期間の開始時点を示す。この期間は、リーダネットワーク１０４がキャリア振幅をＳlowからＳhighに変化させたときに終了する（以下「立ち上がりエッジ」という。）。シンボル３０２、４０２、および５０２のシンボルセットに対して、リーダ１０４は、伝送されているシンボルに従って、この期間の持続時間を指定する。例えば、図３は、論理「０」シンボル３０２を伝送するときに、リーダ１０４は、その搬伝送号振幅を、ＴＡという持続時間の間、Ｓlowに保持することを示している。」との記載、及びＦＩＧ．３によれば、「ツリートラバーサル状態に入れるコマンド」は、同期化イベントということができるものであるから、引用発明の「ツリートラバーサル状態に入れるコマンド」を、補正後の発明のように「同期化イベント」と称することは当業者が容易に成し得ることである。
　
　次に、上記相違点２について検討する。
　引用発明は、「ＩＤ番号ビット」であるところ、ＩＤ番号ビットは、データに含まれるから、引用発明の「ＩＤ番号ビット」を、補正後の発明のように「データ」と称することができることは当然である。
　また、引用発明の「ＩＤ番号ビット」は、デジタル情報の単位の観点から見れば、最小単位であるところ、デジタル情報の単位を複数とすることは周知であるから、引用発明の「ＩＤ番号ビット」を、補正後の発明のように「データ」とすることは、単なる周知技術の付加に過ぎないとも言える。
　
　次に、上記相違点３について検討する。
　上記相違点１についての検討で述べたように、引用発明の「ツリートラバーサル状態に入れるコマンド」を、補正後の発明のように「同期化イベント」と称することは当業者が容易に成し得ることであり、「ツリートラバーサル状態に入れるコマンド」（同期化イベント）は、同期化させる作用を有するものであるから、引用発明の複数のＲＦＩＤタグ（信号ソース）に、「伝送させる工程」に関し、補正後の発明のように「同時に」伝送させることは当然のことである。
　
　次に、上記相違点４について検討する。
　引用発明は、「受信」であるところ、受信において、復号することは周知であるから、引用発明の「受信」に換え、補正後の発明のように「復号」とすることは、単なる周知技術の具体化にすぎない。
　
　そして、補正後の発明の作用効果も、引用発明及び周知技術から当業者が容易に予測できる範囲のものである。
　
　以上のとおり、補正後の発明は引用発明及び周知技術に基づいて容易に発明できたものであるから、特許法第２９条第２項の規定により、特許出願の際独立して特許を受けることができないものである。
　
４．結語
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。 
　
第３　本願発明について
１．本願発明
　平成２１年３月９日付けの手続補正は上記のとおり却下されたので、本願発明は、上記「第２　補正却下の決定　１．本願発明と補正後の発明」の項で「本願発明」として認定したとおりである。
　
２．引用発明
　引用発明は、上記「第２　補正却下の決定」の項中の「３．独立特許要件について」の項中の「（２）引用発明」の項で認定したとおりである。
　
３．対比・判断
　本願発明は上記補正後の発明から当該本件補正に係る限定を省いたものである。
　そうすると、本願発明の構成に当該本件補正に係る限定を付加した補正後の発明が、上記「第２　補正却下の決定」の項中の「３．独立特許要件について」の項で検討したとおり、引用発明及び周知技術に基づいて容易に発明できたものであるから、本願発明も同様の理由により、容易に発明できたものである。
　
４．むすび
　以上のとおり、本願発明は、引用発明及び周知技術に基づいて当業者が容易に発明をすることができたものと認められるから、特許法第２９条第２項の規定により特許を受けることができない。
　
　よって、結論のとおり審決する。